(57)【要約】【課題】紙テープから作られた撚糸状物の用途開発を検討すると共に、切断屑等の利用や、回収された和紙条の再利用等について検討した。【解決手段】枕袋１内に枕充填材２として多数の紙撚糸の切断片３を充填してなる枕であり、紙撚糸が和紙又は洋紙製で、枕袋内を複数の枕充填材の収容室５ａ，５ｂ，５ｃで形成し、該収容室のいずれかに紙撚糸の切断片を充填し、紙撚糸の切断片を枕袋内の少なくとも頭部側に充填し、内層側収容室に合成樹脂発泡体を充填してなる枕である。【選択図】　　　　図１
2004057236.tif 000002
【特許請求の範囲】
【請求項１】
枕袋内に枕充填材として多数の紙撚糸の切断片を充填してなる枕。
【請求項２】
紙撚糸が和紙又は洋紙製である請求項１記載の枕。
【請求項３】
枕袋内を複数の枕充填材の収容室で形成し、該収容室のいずれかに紙撚糸の切断片を充填してなる枕。
【請求項４】
紙撚糸の切断片を枕袋内の少なくとも頭部側に充填してなる枕。
【請求項５】
紙撚糸の切断片を枕袋内の頭部側収容室に充填し、内層側収容室に合成樹脂発泡体を充填してなる枕。
【発明の詳細な説明】
【０００１】
【発明の属する技術分野】
本発明は、テープ状紙を糸状とした紙撚糸の切断片を充填した枕に関する。
【０００２】
【従来の技術】
枕の充填材には従来より、黍殻等の穀物殻、合成樹脂粒状体、パイプ状切片等が用いられている。これらのうち、黍殻等の穀物殻は古来より用いられているが枕の形態安定性にやや欠ける難点がある。一方、合成樹脂粒状体、パイプ状切片等は通気性や適度な接触硬さが好まれているが、頭を動かすたびにプラスチック同士の接触音が耳障りとなる難点がある。この点は合成樹脂発泡体を用いると解消するが、枕が軽くなりすぎるし、頭部接触したとき熱の吸収がなく、吸湿性にも劣る難点がある。
【０００３】
一方、近年紙テープから糸状物を作成する技術が進展し、長尺の紙撚糸が供給されつつある。いわゆる和紙糸、和紙条又は撚紐状物と呼ばれており、紙テープを上方または下方で回転させて撚ることにより糸状にした後、巻き取って得られる。そのための装置としては、たとえば、本発明者が提案している特開平８−１０８４９８号、特開２０００−２３９９３３等を示すことができる。
【０００４】
【発明が解決しようとする課題】
本発明者は、紙テープから作られた撚糸状物の用途開発を検討すると共に、切断屑等の利用や、回収された和紙条の再利用等についても検討した。
【０００５】
【課題を解決するための手段】
上記課題を検討した結果、枕袋内に枕充填材として多数の紙撚糸の切断片を充填してなる枕とした。ここにいう紙撚糸の切断片の太さは１〜５ｍｍφ、長さ１〜７ｍｍのものが好ましい。原料の紙撚糸は洋紙、和紙製いずれでもよい。捲回された紙が適度に吸熱と放熱の役目をして枕の使用者に冷感を与えるし、通気性、吸湿性もあり、洗濯も可能である。
【０００６】
また、枕袋内を複数の枕充填材の収容室で形成し、該収容室のいずれかに紙撚糸の切断片を充填した枕とするとよい。このようにすると、各種の異なる充填材を同一の枕内に備えたものが得られる。これにより、枕の硬さ、低反発、重量、雑音防止、価格等の要求に自由に応じたものにすることができる。
【０００７】
このような紙撚糸の切断片は、枕袋内の少なくとも頭部側に充填することが望ましい。枕袋内の全体に充填してもよいが、中芯材としてポリスチレン発泡体粒子を充填すると、枕の軽量化に寄与する。枕の内部を複数の小袋で形成して収容室とし、全体をまとめて枕袋内に充填するとよい。紙撚糸の切断片を枕袋内の頭部側収容室に充填し、内層側収容室に合成樹脂発泡体を充填した枕は適度なクッション性と、重量とすると共に、頭部に冷感を与える。冷感を与える要因としては熱伝導率も寄与しているものと考えられる。
【０００８】
【発明の実施の形態】
図１は本発明の枕の一部破断斜視図であり、図２は紙撚糸の切断片からなる枕充填材の拡大断面図である。本発明の枕は、枕袋１の内部に枕充填材２として多数の紙撚糸の切断片３を充填している。紙撚糸の切断片３の太さは１．２ｍｍφ、長さ５〜６ｍｍ長となっている。原料の紙撚糸は洋紙、和紙製いずれでもよいが、この場合洋紙を用いている。捲回された紙が適度に吸熱と放熱の役目をして枕の使用者に冷感を与えるし、通気性、吸湿性もあり、洗濯も可能である。幅２１〜２４ｍｍで０．０３〜０．０４ｍｍ厚の紙テープを６．５〜９．５回撚（捩）って、太さを１．０〜１．５ｍｍφにしている。
【０００９】
図３〜図６は枕袋内の実施例を示す中央縦断面図である。図３の例では枕袋の内部に紙撚糸の切断片３を適当量充填し、ファスナー４で閉じる構造としている。また、図４の例では、枕袋１内を複数の枕充填材の収容室５ａ，５ｂ，５ｃを形成し、各収容室５ａ，５ｂ，５ｃの頭部載置側に紙撚糸の切断片３を充填した枕としている。中ほどの収容室５ｂにはポリスチレン発泡体製粒子状充填材６を充填して軽量化を図っている。更に、底面側の収容室５ｃにはポリウレタン製弾性材７を充填して適度なクッション性を持たせている。冬季等には裏返して使用することもできる。
【００１０】
形態安定性を目的とする場合には、図５に示すように、内部にプラスチック製プレート８を挿入してもよい。この場合でも紙撚糸の切断片３はプラスチック製プレート８の周囲を包むように枕袋１内に充填することが好ましい。このようにすると、各種の異なる充填材を同一の枕内に備えたものが得られる。これにより、枕の硬さ、低反発、重量、雑音防止、価格等の要求に自由に応じたものにすることができる。
【００１１】
図６に示すように、枕袋１内に充填する内袋９に縫目を入れて多数の小袋からなる構造にして、紙撚糸の切断片３等の充填材の移動を防止する構造とするとよい。紙撚糸の切断片３を得るための低コストな製法としては、畳表の製造過程において生じる規格外品を短く切断し、混じっている縦糸をサイクロンによって分離除去する方法を示すことができる。通常紙撚糸の表面には、防かび処理をすると共に、摩耗防止のために樹脂コーティングを施している。
【００１２】
【発明の効果】
本発明の枕は、充填材として紙撚糸の切断片を用いたので、頭部を載置すると冷たく感じる。本発明の枕に用いる紙撚糸の切断片は、他の用途に使用された紙撚糸の残余部分を適度に切断して無駄を無くすとか、再利用を可能にし、環境保全にも寄与するものである。
【００１３】
また、紙撚糸の切断片と各種の異なる充填材を同一の枕内に備えたものとすることができる。これにより、枕の硬さ、低反発、重量、雑音防止、通気性、価格等の要求に自由に応じたものにすることができる。加えて、洗濯することもできる。
【図面の簡単な説明】
【図１】本発明の枕の一部破断斜視図である。
【図２】紙撚糸の切断片からなる枕充填材の拡大断面図である。
【図３】枕袋内の実施例を示す中央縦断面図である。
【図４】枕袋内の他の実施例を示す中央縦断面図である。
【図５】枕袋内の他の実施例を示す中央縦断面図である。
【図６】枕袋内の他の実施例を示す中央縦断面図である。
【符号の説明】
１　枕袋
２　枕充填材
３　切断片
４　ファスナー
５ａ，５ｂ，５ｃ　収容室
６　ポリスチレン発泡体製粒子状充填材
７　ポリウレタン製弾性材
８　プラスチック製プレート
９　内袋
【図１】
2004057236.tif 000003
【図２】
2004057236.tif 000004
【図３】
2004057236.tif 000005
【図４】
2004057236.tif 000006
【図５】
2004057236.tif 000007
【図６】
2004057236.tif 000008